(57)【要約】【課題】ベアディスク及びカートリッジディスクを併用可能で、縦置きタイプに適用可能とする。【解決手段】縦置きのトレイ１０において、ベアディスク４１を使用する場合には、第１の押さえレバー１１とディスクホルダー１３とでベアディスク４１を保持する。ベアディスクが所定位置までローディングされると、ターンテーブルを備えたトラバースシャーシがベアディスクに向かって接近し、カートリッジステイ７が前面に突出してきて、第１の押さえレバー１１の突起部１１ｅに当接して回動させる。またディスクホルダー１３は、ターンテーブルの凸部テーパの作用によって、チャッキング時にベアディスクを上方に引き上げる。これらの機能により、チャッキングされたベアディスク４１の回転を阻害することなく縦置きに対応できる。ディスクホルダー１３はトレイ１０の背面側に後退させることができるため、カートリッジディスクにも対応が可能である。【選択図】図４
2006147107.tif 000002
【特許請求の範囲】
【請求項１】
光ディスクをチャッキングするためのターンテーブルと、光ディスクを排出可能な排出位置と前記チャッキングを行うチャッキング位置との間で光ディスクを搬送するトレイとを有し、前記チャッキング位置で該光ディスクに対する情報の書き込み及び／または情報の読み出しを行うディスクトレイ装置において、該ディスクトレイ装置は、光ディスクの記録面が垂直方向となる縦置きで使用されたときに、ベアタイプの光ディスクを保持する第１の部材を有し、該第１の部材は、前記光ディスクが前記排出位置と前記チャッキング位置との間で搬送されるときは、前記光ディスクを保持し、該光ディスクが前記チャッキングされているときには、前記光ディスクに接触しないように変位することを特徴とするディスクトレイ装置。
【請求項２】
請求項１に記載のディスクトレイ装置において、該ディスクトレイ装置は、前記ターンテーブルが設置されたトラバースシャーシを有し、該トラバースシャーシは、前記トレイの搬送動作に応じて変位し、前記光ディスクがチャッキングされるときに、前記トレイに保持された光ディスクに接近して前記チャッキングを行うように構成され、前記第１の部材は、前記トレイ上で変位可能に取り付けられ、前記トラバースシャーシが前記光ディスクへ接近した際に、前記トラバースシャーシに設けられた押圧部が前記第１の部材を押圧し、該第１の部材が前記ベアタイプの光ディスクに接触しないように変位することを特徴とするディスクトレイ装置。
【請求項３】
請求項２に記載のディスクトレイ装置において、前記第１の部材が前記ベアタイプの光ディスクを保持する位置に戻る方向に付勢する付勢部材を有し、前記押圧部が前記第１の部材を押圧することによって該第１の部材が変位した状態で、前記トラバースシャーシの動作とともに前記押圧部が前記第１の部材から離間すると、該第１の部材は、前記付勢部材の付勢力によって前記ベアタイプの光ディスクを保持する位置に戻ることを特徴とするディスクトレイ装置。
【請求項４】
請求項３に記載のディスクトレイ装置において、前記第１の部材は、カートリッジタイプのディスクを使用するときに、光ディスクのカートリッジに押圧されて前記トレイ上で変位しながら該カートリッジを保持し、該保持した状態から該カートリッジタイプの光ディスクが取り外されると、前記付勢部材による付勢力によって前記ベアタイプの光ディスクを保持する位置に戻ることを特徴とするディスクトレイ装置。
【請求項５】
請求項１ないし４のいずれか１に記載のディスクトレイ装置において、該ディスクトレイ装置は、光ディスクの記録面が垂直方向となる縦置きで使用されたときに、ベアタイプの光ディスクを保持する第２の部材を有し、該ディスクトレイ装置が横置きで使用されたときに光ディスクが設置される前記トレイの面を光ディスク設置面とするとき、前記第２の部材は、前記光ディスク設置面から光ディスク側に突出してベアタイプの光ディスクを保持する光ディスク保持位置と、前記光ディスク設置面より後方に後退する後退位置との２つの位置をとることができるように構成され、ベアタイプの光ディスクを使用するときは前記第２の部材を前記光ディスク保持位置に設定し、カートリッジタイプの光ディスクを使用するときは前記第２の部材を前記後退位置に設定して使用することを特徴とするディスクトレイ装置。
【請求項６】
請求項５に記載のディスクトレイ装置において、前記ターンテーブルは、光ディスクの中央孔部に挿入する凸部を有し、該凸部は、光ディスクのチャッキング位置の面積に比較して凸部頂部の面積の方が小さくなるようなテーパ形状を有して構成され、前記第２の部材に保持されたベアタイプの光ディスクに前記凸部が挿入されて前記チャッキングが行われる際、前記凸部が挿入された光ディスクが前記テーパの作用により前記第２の部材から離間する方向に移動し、前記チャッキングが完了した時点では、前記第２の部材と前記ベアタイプの光ディスクとの間隔が、該光ディスクの回転を阻害しない距離まで広がるように構成されていることを特徴とするディスクトレイ装置。
【請求項７】
請求項１ないし６のいずれか１に記載のディスクトレイ装置を備え、該ディスクトレイ装置により搬送される光ディスクに対する情報の記録と、該光ディスクに記録された情報の再生を行うことを特徴とする記録再生装置。
【発明の詳細な説明】
【技術分野】
【０００１】
本発明は、ディスクトレイ装置及び該ディスクトレイ装置を備える記録再生装置に関し、より詳細には、ディスク型記録媒体である光ディスクを搬送して、光ディスクへの情報の書き込みや情報の読み出しを行うようにしたディスクトレイ装置と、そのディスクトレイ装置を備えた記録再生装置に関する。
【背景技術】
【０００２】
ＣＤやＤＶＤなどの光を用いて情報記録／再生を行う光ディスクが普及している。また、大容量光ディスクとしてＢＤ（blu-ray disk）及びＨＤ  ＤＶＤ（High Definition ＤＶＤ）が市場に登場し、今後普及すると考えられている。このような光ディスクに情報を書き込んだり、情報を読み出したりする装置として、ディスクトレイ装置が供されている。ディスクトレイ装置は、光ディスクをセットするトレイを有し、そのトレイがローディングされて所定位置に光ディスクを搬送することで、ディスクトレイ装置が備える光ピックアップにより、光ディスクへの情報の書き込みや情報の読み出しを実行することができる。
【０００３】
上述のようなディスクトレイ装置において、トレイが装置内部から前方に引き出された位置で光ディスクがトレイ上にセットされる。そしてトレイが装置内部へローディングされると、その所定位置で光ディスクがチャッキングされる。このチャッキングに際しては、光ディスクを保持して回転させるターンテーブルの中央に形成された凸部が、光ディスク中央の孔部に挿入され、同時に光ディスク上面側からクランパーが接近し、このクランパーによって光ディスクがターンテーブル上にチャッキングされる。光ディスクを取り出すときには、上記のクランパーとターンテーブルを光ディスクから離脱させて、トレイを前方に引き出す。
【０００４】
図８及び図９は、上記のような従来のディスクトレイ装置のクランプ動作の一例を説明するための図で、図８は、上記チャッキング位置で光ディスクがターンテーブル上でチャッキングされているときの状態を示す図、図９は、図８のチャッキング状態を解除して光りディスクを取り出すとき（もしくは、引き出されたトレイをチャッキング位置にセットするとき）の状態を示す図である。なお、本例では、上面と下面（背面）に開口を有するカートリッジに収容されたＢＤ用光ディスクを使用した例を示している。
【０００５】
図８及び図９において、１はベースシャーシ、２は光ディスクディスクを保持して回転させるターンテーブル、３はターンテーブルの回転を制御するスピンドルモータ、６はスピンドルモータ３が設置されるトラバースシャーシ、１０は光ディスクを搬送するためのトレイ、１４はトレイの移動に応じてクランパーを変位させるためのトレイカム部、３０は光ディスクをクランプするクランパー、３１はクランパーを動作させるためのクランパーレバー、３２はクランパー及びクランパーレバーを搭載したクランパープレート、３３はクランパーレバーがクランパープレートに対して回動可能に支持されるクランパーレバー支持軸、３４はクランパーレバーを付勢する付勢スプリング、４０は光ディスク、４２は光ディスクを収容するカートリッジである。
【０００６】
クランパーレバー３１は、クランパーレバー支持軸３３にて回動可能に設置され、その回動動作に伴ってクランパーレバー３１の先端近傍に設けられたクランパー３０が揺動変位する。また、トラバースシャーシ６もトレイ１０の進退動作に応じて揺動し、トラバースシャーシ６の上に設置されたスピンドルモータ３と、該スピンドルモータ３に設置されたターンテーブル２とが一体的に動作する。
【０００７】
トレイ１０にはトレイカム部１４が設けられていて、図８の状態では、クランパーレバー３１のトレイ奥側端部がトレイカム部１４に当接して、クランパーレバー３１が回動し、付勢スプリング３４の付勢力に抗した形でクランパー３０が押し下げられる。また図８の位置では、トラバースシャーシ６が上方に変位して、光ディスク４０中央の孔部にターンテーブル２の凸部が挿入される。そして、この状態で、ターンテーブル２の凸部とクランパー３０との間で光ディスク４０がチャッキングされる。クランパー３０は、回転可能に設けられているため、スピンドルモータ３の駆動によるターンテーブル２の回転に伴って光ディスク４０が高速回転する際にも、クランパー３０がその回転を阻害することはない。
【０００８】
図９の状態では、トレイ１０のトレイカム部１４がクランパーレバー３１の端部から離れ、クランパーレバー３１は、付勢スプリング３４の付勢力により回動し、クランパー３０が光ディスク４０から離脱して上方へ変位する。また、トレイ１０の移動に従って、トラバースシャーシ６が下方に揺動変位し、光ディスク４０の搬送を妨げないようにしている。
【０００９】
上記のようなディスクトレイ装置に使用する光ディスクの多くは、通常、カートリッジに収容されていないベアディスクとして流通されている。またＤＶＤ−ＲＡＭや、ＢＤは、カートリッジに収容されたカートリッジディスクとして流通している。例えばＤＶＤ−ＲＡＭのカートリッジには、前面と背面側に開口が設けられ、記録再生装置へのアクセスや光ディスクのクランプを上記開口によって実行できるようにしたものがある。また、ＢＤでは、現在カートリッジに収容されたカートリッジディスクが供されているが、近い将来には、ベアタイプのＢＤが市場に登場することが予想されている。現在のＢＤのカートリッジは、クランパー内蔵タイプで、背面（記録層側）に開閉可能なシャッターが構成されているか、もしくは前面が閉口し、背面にシャッターが設けられている。
【００１０】
このように、例えば、ＢＤや一部のＤＶＤ等でカートリッジタイプとベアタイプが共存するとき、これら光ディスクメディアに対応するディスクトレイ装置では、いずれのタイプのディスクも使用可能であることが要求される。
【００１１】
上記のような要求に対して、例えば特許文献１では、カートリッジディスクとベアディスクの両方を搬送可能な搬送機構において、カートリッジディスクを搬送するときにクランパーが当たらない位置までクランパーを上方に逃がし、その後にクランパーのホルダー部材を回動させてクランパーをディスク媒体に押しつけるようにして、搬送機構の薄型を図った構成が開示されている。
【特許文献１】特開平１０−３１２６２８号公報
【発明の開示】
【発明が解決しようとする課題】
【００１２】
上記のように、ディスクトレイを搬送するディスクトレイ装置では、カートリッジディスクとベアディスクとの両方に対応できるような要求があるが、この場合に、光ディスクを水平にセットする（記録面が水平方向となる）横置きタイプのみならず、光ディスクが垂直にセットされる（記録面が垂直方向となる）縦置きタイプに対応できることがさらに要求される。
【００１３】
カートリッジのないベアディスク専用である場合は、例えば、光ディスクを支える爪部のようなものをトレイに設置しておくことにより、光ディスクをその爪部で保持しながらローディングすることができる。
このとき、光ディスクのチャッキング位置では、光ディスクの回転に伴って上記爪部が光ディスクに接触するとトラブルの要因となる。
【００１４】
これに対応するためには、光ディスクの正規のチャッキング位置よりも若干下方に光ディスクが置かれるように上記爪部の位置を設定する。そして爪部に保持された光ディスクがトレイにより搬送され、ターンテーブルとクランパーとによりチャッキングされるときに、ターンテーブルの凸部先端が光ディスクの中央孔部に入り込むことができれば、凸部に形成されたテーパ部により光ディスクを上方に引き上げることができ、光ディスクを上記爪部から離間させることができる。
【００１５】
図１０は、クランパーとターンテーブルによるクランプ部を模式的に示す図で、図１０（Ａ）は光ディスクのクランプ前の状態を示す図、図１０（Ｂ）はクランプ後の状態を示す図である。図１０に示すように、ターンテーブル２には、光ディスク４０の中央孔部４０ａに挿入される凸部２ａが設けられている。凸部２ａにはテーパｔが形成されていて、ターンテーブル２と光ディスク４０との中心が互いに多少ずれていても、凸部２ａの先端が中央孔部４０ａに挿入できれば、凸部２ａに形成されたテーパｔによって光ディスク４０の位置を修正し、所定の位置で光ディスク４０をチャッキングすることができる。
【００１６】
そして、凸部２ａの高さを十分に高くとり、凸部２ａ先端の面積を比較的小さくしてゆるやかなテーパｔを形成させれば、光ディスク４０がチャッキングされる位置から比較的離れた位置にローディングされた場合であっても、光ディスク４０を正規の位置にチャッキングすることができる。
【００１７】
すなわち、上記のような爪部を使用してベアタイプの光ディスク（ベアディスク）を保持する場合、ターンテーブル２の凸部２ａによってベアディスクを上方に引き上げるように設定することにより、チャッキングしたベアディスクと上記爪部との間が離間して、爪部がベアディスクの高速回転を阻害しないようにすることができる。
こうして、ベアタイプ専用の縦置き型ディスクトレイ装置では、比較的容易に光ディスクのローディングや取り出し動作を実行することができる。
【００１８】
しかしながら、上述のＢＤのように、カートリッジタイプとベアタイプとの併用を可能とするためには、上記のような構成では不具合が生じる。
例えば、カートリッジディスクでは、カートリッジの厚さ方向の許容空間の制約から、上記のようなターンテーブル２の凸部２ａの高さに制限が生じ、凸部２ａの高さを十分に高くとることができない。すなわち、カートリッジディスクに対応させるためには、ＤＶＤのベアタイプ専用装置などに用いられているような凸部の大きなテーパをとることができず、チャッキングの安定性と光ディスクの保持部材との接触回避とを両立させることが困難となる。
【００１９】
例えば、光ディスクを縦置きに保持する場合、複数の支持点もしくはある程度の支持領域で光ディスク支持する必要がある。このとき、カートリッジタイプに対応するために高さが制限された凸部２ａでは、一部の支持点や一部の狭い支持領域に注目すれば、その支持点や支持領域に対して光ディスクを半径方向に移動させることにより、十分な間隔を形成することができる。しかしながら、他の支持点や支持領域では、光ディスクが半径方向に移動しないため、十分な間隔を形成することができない。また、逆に複数の支持点やある程度の領域で十分な間隔を得ようとして支持点や領域の位置を予め設定してしまうと、ターンテーブルの凸部の高さの制約からチャッキング自体を行うことができなくなる。
またトレイ上にベアディスクの保持部やガイド等を設ける場合、ベアディスクより外形の大きなカートリッジディスクをセットするスペースには、上記の保持部やガイドによる突起部を設けることはできない。
【００２０】
また上記特許文献１には、上述のようなベアディスクとカートリッジディスクに対応可能で、さらに縦置き使用にも適用できるディスクトレイ装置については、開示されていない。
【００２１】
本発明は、上述のごとき実情に鑑みてなされたもので、ベアディスク及びカートリッジディスクを併用可能で、縦置きタイプに適用可能なディスクトレイ装置を提供することを目的とする。
【課題を解決するための手段】
【００２２】
第１の技術手段は、光ディスクをチャッキングするためのターンテーブルと、光ディスクを排出可能な排出位置とチャッキングを行うチャッキング位置との間で光ディスクを搬送するトレイとを有し、チャッキング位置で光ディスクに対する情報の書き込み及び／または情報の読み出しを行うディスクトレイ装置において、ディスクトレイ装置は、光ディスクの記録面が垂直方向となる縦置きで使用されたときに、ベアタイプの光ディスクを保持する第１の部材を有し、第１の部材は、光ディスクが排出位置とチャッキング位置との間で搬送されるときは、光ディスクを保持し、光ディスクがチャッキングされているときには、光ディスクに接触しないように変位することを特徴としたものである。
【００２３】
第２の技術手段は、第１の技術手段において、ディスクトレイ装置は、ターンテーブルが設置されたトラバースシャーシを有し、トラバースシャーシは、トレイの搬送動作に応じて変位し、光ディスクがチャッキングされるときに、トレイに保持された光ディスクに接近してチャッキングを行うように構成され、第１の部材は、トレイ上で変位可能に取り付けられ、トラバースシャーシが光ディスクへ接近した際に、トラバースシャーシに設けられた押圧部が第１の部材を押圧し、第１の部材がベアタイプの光ディスクに接触しないように変位することを特徴としたものである。
【００２４】
第３の技術手段は、第２の技術手段において、第１の部材がベアタイプの光ディスクを保持する位置に戻る方向に付勢する付勢部材を有し、押圧部が前記第１の部材を押圧することによって第１の部材が変位した状態で、トラバースシャーシの動作とともに押圧部が第１の部材から離間すると、第１の部材は、付勢部材の付勢力によってベアタイプの光ディスクを保持する位置に戻ることを特徴としたものである。
【００２５】
第４の技術手段は、第３の技術手段において、第１の部材は、カートリッジタイプのディスクを使用するときに、光ディスクのカートリッジに押圧されてトレイ上で変位しながらカートリッジを保持し、保持した状態からカートリッジタイプの光ディスクが取り外されると、付勢部材による付勢力によってベアタイプの光ディスクを保持する位置に戻ることを特徴としたものである。
【００２６】
第５の技術手段は、第１ないし第４のいずれか１の技術手段において、ディスクトレイ装置は、光ディスクの記録面が垂直方向となる縦置きで使用されたときに、ベアタイプの光ディスクを保持する第２の部材を有し、ディスクトレイ装置が横置きで使用されたときに光ディスクが設置されるトレイの面を光ディスク設置面とするとき、第２の部材は、光ディスク設置面から光ディスク側に突出してベアタイプの光ディスクを保持する光ディスク保持位置と、光ディスク設置面より後方に後退する後退位置との２つの位置をとることができるように構成され、ベアタイプの光ディスクを使用するときは第２の部材を光ディスク保持位置に設定し、カートリッジタイプの光ディスクを使用するときは第２の部材を後退位置に設定して使用することを特徴としたものである。
【００２７】
第６の技術手段は、第５の技術手段において、ターンテーブルは、光ディスクの中央孔部に挿入する凸部を有し、凸部は、光ディスクのチャッキング位置の面積に比較して凸部頂部の面積の方が小さくなるようなテーパ形状を有して構成され、第２の部材に保持されたベアタイプの光ディスクに凸部が挿入されてチャッキングが行われる際、凸部が挿入された光ディスクがテーパの作用により第２の部材から離間する方向に移動し、チャッキングが完了した時点では、第２の部材とベアタイプの光ディスクとの間隔が、光ディスクの回転を阻害しない距離まで広がるように構成されていることを特徴としたものである。
【００２８】
第７の技術手段は、第１ないし第６のいずれか１の技術手段のディスクトレイ装置を備え、ディスクトレイ装置により搬送される光ディスクに対する情報の記録と、光ディスクに記録された情報の再生を行うことを特徴としたものである。
【発明の効果】
【００２９】
本発明によれば、ベアディスク及びカートリッジディスクを併用可能で、縦置きタイプに適用可能なディスクトレイ装置と、そのディスクトレイ装置を備えた記録再生装置とを提供することができる。
すなわち、本発明によれば、ディスクトレイ装置を縦置きで使用するときも、光ディスクをローディングする際にその光ディスクがトレイから脱落しないように安定して保持され、光ディスクのターンテーブル上へのチャッキングを安定して実行することができる。また、ディスクを保持するための部材がチャッキング時に変位することにより、光ディスクの回転を妨げることなく安定した光ディスクの駆動を行うことができるようになる。
【発明を実施するための最良の形態】
【００３０】
以下に本発明のディスクトレイ装置の実施形態を添付された図面を参照しながら具体的に説明する。なお、実施形態を説明するための全図において、同様の機能を有する部分には同じ符号を付けその繰り返しの説明は省略する。
図１は、本発明のディスクトレイ装置の構成例を示す斜視概略図である。図１において、１はベースシャーシ、２はブルーレイディスク等の光ディスクを保持して回転させるターンテーブル、３はターンテーブルの回転を制御するスピンドルモータ、４は光ディスクの記録再生層に光スポットを形成して、データの書き込み及び読み出しを行う光ピックアップ、５はブルーレイディスクのカートリッジを開閉させるためのシャッター開閉機構である。
【００３１】
さらに図１において、１０は光ディスクを搬送するためのトレイ、１１は光ディスクを押さえるための第１の押さえレバー、１２は同じく光ディスクを押さえるための第２の押さえレバー、１３は縦置き時にベアディスクを保持するためのディスクホルダー、１４はトレイの移動に応じてクランパー（図示せず）を変位させるためのトレイカム部である。
後述して詳細に説明するが、本実施形態で縦置き時にベアディスクを保持する部材は、上記の第１の押さえレバー１１と、ディスクホルダー１３の二つの部材である。この第１の押さえレバー１１が本発明の第１の部材に該当し、ディスクホルダー１３が本発明の第２の部材に該当する。
【００３２】
図１は、トレイ１０がベースシャーシ１の内部にローディングされた状態を示している。ベースシャーシ１上に設けられているトレイ搬送機構が動作することにより、矢印Ａ方向にトレイ１０が引き出されて、ユーザが光ディスクをセットすることができる。そして再びトレイ搬送機構を動作させると、トレイ１０とともに光ディスクがベースシャーシ１の内部にローディングされる。光ディスクを排出するときは、再度トレイ１０を矢印Ａ方向に引き出す。
【００３３】
実際には、図１のメインシャーシ１に対して、図示しないクランパープレートが取り付けられ、クランパープレートに設けられたクランパーが動作することにより、ローディングされた光ディスクをターンテーブルとの間でクランプ（チャッキング）する。この状態で、光ピックアップ４による光ディスクへのデータの書き込みや光ディスクからのデータの読み込みを行うことができる。すなわち、トレイ１０は、光ディスクを排出可能な排出位置と、光ディスクのチャッキングを行うチャッキング位置との間で光ディスクを搬送するものといえる。
【００３４】
図２及び図３は、トレイの進退動作とそれに伴うクランパー及びターンテーブルによる光ディスクのチャッキング動作を説明するための図で、図２は、トレイのローディング動作の途中で光ディスクのチャッキングが行われていない状態を示す側面概略図（縦置き時に下方から見た図）、図３は、トレイのローディングが完了して光ディスクがチャッキングされている状態を示す側面概略図（縦置き時に下方から見た図）である。
図２及び図３において、６はターンテーブル２が取り付けられたスピンドルモータ３が設置されるトラバースシャーシ、７はカートリッジディスクを支持するためのカートリッジステイ、３０は光ディスクをクランプするクランパー、３１はクランパーを動作させるためのクランパーレバー、３２はクランパー及びクランパーレバーを搭載したクランパープレート、３３はクランパーレバーがクランパープレートに対して回動可能に支持されるクランパーレバー支持軸である。
【００３５】
トレイ１０がベースシャーシ１から引き出されて、光ディスク４０がトレイ１０にセットされ、トレイ１０が再度ベースシャーシ１の内部に移動するとき、図２に示すように、トレイ１０に設けられているトレイカム部１４が、クランパーレバー３１のトレイ奥側端部に当接する。そしてさらにトレイ１０が進行していき（矢印Ｂ方向）、所定のローディング位置に到達すると、図３に示すようにクランパーレバー３１が、クランパーレバー支持軸３３の周りを回動し、クランパー３０がトレイ１０の方向に変位する。
【００３６】
そして同時に、トレイ１０の移動により図２のようにトレイ１０から離れる方向に離間していたトラバースシャーシ６が、ローディング完了時には図３に示すようにトレイ１０の方向に変位する。
こうして、図３に示すローディング完了時には、ターンテーブル２とクランパー３０との間で光ディスクがクランプされ、チャッキング動作が完了する。
【００３７】
光ディスク４０のチャッキングを解除してトレイ１０を引き出すときには、トレイカム部１４によるクランパーレバー３１への作用が解除され、クランパーレバーがばねの付勢力によって元に戻ろうとし、クランパー３０が光ディスク４０から離脱して変位する。また、トレイ１０が引き出されるときには、トラバースシャーシ６がトレイ１０から離脱する方向に変位し、光ディスク４０の搬送を妨げないようにしている。
【００３８】
なお、図２及び図３に示す光ディスクは、カートリッジディスクで前面及び背面に開口を有するタイプ、もしくは、前面が開口され背面がシャッター機構により開閉可能なタイプであり、クランパー３０によって光ディスク４０をチャッキングすることができる。このとき、背面がシャッター機構を有する場合は、図１に示すシャッター開閉機構５によって、トレイ１０の移動に応じたシャッターの開閉が行われる。
【００３９】
ベアディスクを用いる場合も、上記と同様に、クランパーレバー３１とトラバースシャーシ６の動作によって、クランパー３０によって光ディスク４０のチャッキングを行うことができる。また、光ディスクの前面が非開口のカートリッジタイプを用いる場合は、トレイカム部１４がクランパー動作機構に当接しても、クランパー３０の変位が止められて、光ディスク４０のチャッキングが阻害されないように構成されている。この場合は、カートリッジに内蔵されているクランパーとターンテーブル３とによって光ディスク４０がチャッキングされる。
【００４０】
上記のようなトレイ１０のローディング動作に伴うクランパーの動作機構については、ここでは限定するものではなく、ベアタイプとカートリッジタイプをともに使用可能なクランパーの構成を備えるようにすればよい。
【００４１】
図４は、トレイ１０の構成及び動作をより詳細に説明するための斜視概略図で、光ディスクとしてベアディスク４１をトレイ１０にセットした例を示している。ベアディスク４１は、上記カートリッジタイプの光ディスク４０に相当する。図４において、１１は第１の押さえレバー，１２は第２の押さえレバー、１１ａ，１２ａはベアディスク押さえ爪部、１１ｂ，１２ｂは回動軸、１１ｃ，１２ｃはカートリッジディスク押さえ部、１１ｄはベアディスク保持部、１１ｅは突起部、１３はディスクホルダー、１５はカートリッジディスクを位置決めするためのカートリッジステイが進退するためのカートリッジステイ用貫通孔である。
【００４２】
ベアディスク４１を使用する場合には、ディスクホルダー１３を使用してベアディスク４１を保持する。このディスクホルダー１３は、ホルダー回動軸１３ａに軸支されてトレイ１０に対して回動可能に設けられている。通常のカートリッジディスクを使用するときには、ディスクホルダー１３をトレイ１０の背面方向に後退させ、カートリッジディスクのセットを阻害しないようにすることができる。
そして、ベアディスク４１を使用するときには、ディスクホルダー１３を引き出して図４のごとくの形態とし、ベアディスク４１をその上側壁部に当接させて保持させる。
【００４３】
すなわち、ディスクトレイ装置が横置きで使用されたときに光ディスクが設置されるトレイの面を光ディスク設置面とするとき、ディスクホルダー１３は、光ディスク設置面から光ディスク側に突出してベアディスクを保持する光ディスク保持位置と、光ディスク設置面より後方に後退する後退位置との２つの位置をとることができるように構成されている。ベアディスク４１を使用するときは、ディスクホルダー１３を上記光ディスク保持位置に設定し、カートリッジディスクを使用するときはディスクホルダー１３を上記後退位置に設定して使用する。光ディスク保持位置と後退位置との切替えは、ユーザが手動で行うが、何らかの自動切り替え機構や、操作ボタンやリモコンの指示に応じてこれらの切替を行う機構を付加してもよい。
【００４４】
ベアディスク４１を保持する他の部分は、第１の押さえレバー１１に突設されているベアディスク保持部１１ｄである。これらディスクホルダー１３と第１の押さえレバー１１のベアディスク保持部１１ｄとによってベアディスク４１が下方から支えられる。
また、第１の押さえレバー１１のベアディスク押さえ爪部１１ａと、第２の押さえレバー１２のベアディスク押さえ爪部１２ａは、ベアディスク４１が倒れないように保持させる機能を有している。
【００４５】
カートリッジディスクを使用する場合は、上述のようにディスクホルダー１３をトレイ１０の背面側に向かって回動させた上で、トレイ１０にカートリッジディスクをセットする。ここで第１の押さえレバー１１は、回動軸１１ｂによりトレイ１０上で回動可能に設けられていて、カートリッジディスクがトレイ１０にセットされたときには、第１の押さえレバー１１が矢印Ｄの方向に回動し、カートリッジディスク押さえ部１１ｃがカートリッジディスクに当接してこれを保持する。
【００４６】
また同様に、第２の押さえレバー１２は、回動軸１２ｂによりトレイ１０上で回動可能に設けられていて、カートリッジディスクがトレイ１０にセットされたときには、第２の押さえレバー１２が矢印Ｃの方向に回動し、カートリッジディスク押さえ部１２ｃがカートリッジディスクに当接してこれを保持する。
【００４７】
本実施形態では、ベアディスク４１がトレイ１０にセットされた状態でローディングされ、ターンテーブル２上にチャッキングされると、ベアディスク４１を保持していたディスクホルダー１３と第１の押さえレバー１１とがベアディスク４１から離間して、ベアディスクの高速回転を阻害しないように構成されている。ここでは、縦置きのベアディスクを支持する第１の押さえレバー１１とディスクホルダー１３のうち、第１の押さえレバー１１がチャッキング時にベアディスクから離れる方向に変位し、これによって、第１の押さえレバー１１とディスクホルダー１３とが、チャッキングされたベアディスクから離間するようになっている。以下にその構成を説明する。
【００４８】
まず、第１の押さえレバー１１の動作について図２，図３，図５及び図６を参照して説明する。図５及び図６は、第１の押さえレバー１１の近傍の状態を説明するための図で、図５は、図２に示すように、トラバースシャーシ６がトレイ１０から離間する方向に変位した状態のときを示し、図６は、図３に示すように、トラバースシャーシ６がトレイ１０に向かって変位し、光ディスクがチャッキングされているときの状態を示すものである。
【００４９】
図２及び図３に示すように、トラバースシャーシ６には、カートリッジディスクを支持するためのカートリッジステイ７が設けられている。カートリッジディスクを用いた場合、トラバースシャーシがトレイ１０の方向に変位して光ディスクのチャッキングが完了すると、カートリッジステイ７の頂部がカートリッジディスクの背面に当接し、カートリッジディスクが所定位置に位置決めされる。カートリッジステイ７は、トレイ１０に設けられた貫通孔１５を通して進退する。このとき図２の状態では、トレイ１０の背面側にその頂部が隠れた状態で維持されるが、図３の状態でトラバースシャーシ６が変位すると、カートリッジステイ７の頂部が貫通孔１５を通してトレイ１０の前面側に出てくる。これにより、カートリッジディスクが所定位置で位置決めされる。
【００５０】
本実施形態では、上記のカートリッジステイ７を用いて、縦置き時のベアディスクを支持する第１の押さえレバー１１をチャッキング時に変位させ、ベアディスクの回転を妨げないようにする。
まず図２の状態では、第１の押さえレバー１１は、図５に示すようにベアディスクを支持する位置にある。カートリッジステイ７は、上述のようにトレイ１０のローディング動作に応じて変位するトラバースシャーシ６上に設けられているため、図２の状態では、トレイ１０の背面側にその先端が留まっていて、第１の押さえレバー１１に対してなんら作用しない。この状態では、ベアディスクがベアディスク保持部１１ｄに保持され、ベアディスクの安定搬送が可能である。
【００５１】
次に図３の状態では、第１の押さえレバー１１は、図６に示すようにベアディスクの回転を阻害しないように、ベアディスクから離間する方向（矢印Ｄ方向）に回動する。ここでは、カートリッジステイ７が設けられたトラバースシャーシ６の変位に伴って、カートリッジステイ７の頂部が貫通孔１５を通ってトレイ１０の前面側（ベアディスク側）に出てくる。このときに、図６に示すように、カートリッジステイ７の頂部が、第１の押さえレバー１１に設けられている突起部１１ｅに当接し、カートリッジステイ７の動きに伴って突起部１１ｅを押圧して変位させる。この突起部１１ｅが、本発明における押圧部に該当する。
【００５２】
突起部１１ｅが押圧されることにより、第１の押さえレバー１１は、回動軸１１ｂの周りを矢印Ｄ方向に回動する。第１の押さえレバー１１が回動すると、ベアディスクを保持していたベアディスク保持部１１ｄがベアディスクから離間し、チャッキングされたベアディスクの回転に影響を与えないようにすることができる。
【００５３】
図３の状態でトレイが排出方向に移動を始め、光ディスクのチャッキングが解除されると、トラバースシャーシ６が光ディスクから離脱する方向に変位し、これに伴ってカートリッジステイ７も突起部１１ｅから離脱してトレイ１０の背面側に移動する。第１の押さえレバー１１には、ベアディスクを保持できる位置に戻るように付勢する付勢部材としてばねが取り付けられていて、上記のトラバースシャーシの変位にともなって、第１の押さえレバー１１は、図６の状態から図５の状態に戻る。
【００５４】
次にディスクホルダー１３は、上記第１の押さえレバー１１のようにベアディスクから離脱する方向に逃げることはないが、ベアディスクのチャッキング動作時に、ベアディスクが半径方向の上方へ移動することによって、ディスクホルダー１３とベアディスクとの間に十分な間隙が形成される。
【００５５】
上述のように、カートリッジディスクとベアディスクを併用する場合、ターンテーブルの凸部を十分に高くとることができない。しかしながら、ベアディスクがチャッキングされるとき、ベアディスクの一つの支持点に対して該ベアディスクがほぼ半径方向に動けば、その支持点とベアディスクとの間隔は、許容レベルを達成することができる。
【００５６】
従って、本実施形態では、ベアディスクの支持点を、ディスクホルダー１３と第１の押さえレバー１１の２点とし、ベアディスクのチャッキング時に、ディスクホルダー１３に対してベアディスクがほぼ半径方向に移動するように設定しておくことにより、ディスクホルダー１３とベアディスクとの間隔を確保するとともに、第１の押さえレバー１１については、上記の構成でチャッキング時に回動動作させることにより、第１の押さえレバー１１とベアディスクとの間隔を確保することができる。
【００５７】
以上の構成により、本実施形態のディスクトレイ装置は、カートリッジディスクとベアディスクの両方のタイプの光ディスクの縦置きに対応することができ、ベアディスクのトレイの設置、搬送、及びチャッキングの動作を支障なく信頼性をもって実行することができるようになる。
【００５８】
また、上記のごとくのディスクトレイ装置を使用して、記録再生装置を提供することができる。図７は、記録再生装置の構成例を説明するための図である。記録再生装置１００は、複数の記録媒体を適宜使い分けることができるように構成されている。例えば、図７の例では、記録再生装置１００には、ＢＤ記録再生装置１０１、ＤＶＤ記録再生装置１０２、ＨＤＤ記録再生装置１０３が備えられ、これら複数の記録媒体が選択的に使用可能となっている。また、記録再生装置１００にチューナ部を設けることで、例えば、テレビ放送されたコンテンツ等を記録媒体に記録することができる。また、複数の記録媒体間におけるデータのダビングやムーブなどの処理も実行できる。
【００５９】
記録再生装置１００には、ディスクタイプの記録媒体をセットするためのディスクトレイ装置が設けられ、例えば、図７の例では、ＤＶＤ用のディスクトレイ装置と、ＢＤ用のディスクトレイ装置が個々に設けられ、ユーザはそれぞれのディスクトレイ装置を利用して、該当する各記録媒体を記録再生装置内に搬送させることができるようになっている。これらディスクトレイ装置に上記の実施形態のごとくのディスクトレイ装置を適用することにより、カートリッジディスクとベアディクの両方のタイプの光ディスクの縦置きに対応することができ、ベアディスクのトレイの設置、搬送、及びチャッキングの動作を支障なく信頼性をもって実行することができる記録再生装置を得ることができる。
【図面の簡単な説明】
【００６０】
【図１】本発明のディスクトレイ装置の構成例を示す斜視概略図である。
【図２】トレイのローディング動作の途中で光ディスクのチャッキングが行われていない状態を示す側面概略図である。
【図３】トレイのローディングが完了して光ディスクがチャッキングされている状態を示す側面概略図である。
【図４】トレイの構成及び動作をより詳細に説明するための斜視概略図である。
【図５】第１の押さえレバーの動作について説明するための図である。
【図６】第１の押さえレバーの動作について説明するための他の図である。
【図７】記録再生装置の構成例を説明するための図である。
【図８】チャッキング位置で光ディスクがターンテーブル上でチャッキングされているときの状態を示す図である。
【図９】図８のチャッキング状態を解除して光ディスクを取り出すとき（もしくは、引き出されたトレイをチャッキング位置にセットするとき）の状態を示す図である。
【図１０】クランパーとターンテーブルによるクランプ部を模式的に示す図である。
【符号の説明】
【００６１】
１…ベースシャーシ、２…ターンテーブル、３…スピンドルモータ、４…光ピックアップ、５…シャッター開閉機構、６…トラバースシャーシ、７…カートリッジステイ、１０…トレイ、１１…第１の押さえレバー、１１ａ，１２ａ…ベアディスク押さえ爪部、１１ｂ，１２ｂ…回動軸、１１ｃ，１２ｃ…カートリッジディスク押さえ部、１１ｄ…ベアディスク保持部、１１ｅ…突起部、１２…第２の押さえレバー、１３…ディスクホルダー、１３ａ…ホルダー回動軸、１４…トレイカム部、１５…カートリッジステイ用貫通孔、３０…クランパー、３１…クランパーレバー、３２…クランパープレート、３３…クランパーレバー支持軸、４０…光ディスク、４１…ベアディスク、４２…カートリッジ、１００…記録再生装置、１０１…ＢＤ記録再生装置、１０２…ＤＶＤ記録再生装置、１０３…ＨＤＤ記録再生装置。
【図１】
2006147107.tif 000003
【図２】
2006147107.tif 000004
【図３】
2006147107.tif 000005
【図４】
2006147107.tif 000006
【図５】
2006147107.tif 000007
【図６】
2006147107.tif 000008
【図７】
2006147107.tif 000009
【図８】
2006147107.tif 000010
【図９】
2006147107.tif 000011
【図１０】
2006147107.tif 000012